(57)【特許請求の範囲】
【請求項１】
シートベルトのタングプレートを保持するためのタングプレート保持具であって、
車室の内壁に取り付けられるベース部と、
前記ベース部から前記車室側に向かって延在し、前記ベース部に対向する側に前記タングプレートが挿入可能なタングプレート挿入部を有する延在部と、
を備え、
前記タングプレート挿入部は、前記タングプレートが挿入される挿入空間を両側から囲むように前記ベース部側に延びる一対の保持部によって、前記タングプレートを前記ベース部側から弾性的に保持可能に構成され、
前記一対の保持部は、先端に前記挿入空間の内側に向かって設けられた凸部をそれぞれ有し、
前記凸部は、前記タングプレートが前記タングプレート挿入部に挿入された際に、前記タングプレートが有する穴部に係合することを特徴とするタングプレート保持具。
【請求項２】
前記一対の保持部は、互いに隙間を介して設けられていることを特徴とする請求項１に記載のタングプレート保持具。
【請求項３】
前記一対の保持部の少なくとも一方は、前記ベース部に対向する側に前記ベース部に向けて凸状に設けられたリブを有し、
前記リブは、前記タングプレートが前記タングプレート挿入部に挿入された際に、前記タングプレートに接続されたウェビングを前記ベース部との間に挟持することにより保持可能なウェビング保持部を形成することを特徴とする請求項１又は２に記載のタングプレート保持具。
【請求項４】
前記タングプレートの挿入方向の垂直断面において、前記延在部は、前記タングプレート挿入部の長手方向の一方側で前記ベース部に接続されており、他方側に前記ウェビング保持部に前記ウェビングを挿入するための開口部が形成されていることを特徴とする請求項３に記載のタングプレート保持具。
【請求項５】
前記延在部は、前記他方側に前記ベース部に向けて凸状に設けられた逆鉤部を有することを特徴とする請求項４に記載のタングプレート保持具。
【請求項６】
前記ベース部及び前記延在部は、弾性材料により一体形成されていることを特徴とする請求項１から５のいずれか１項に記載のタングプレート保持具。
【請求項７】
前記ベース部は、前記延在部との境界領域のうち前記内壁側の表面上に凹状の切欠部を有することを特徴とする請求項６に記載のタングプレート保持具。
【発明の詳細な説明】
【技術分野】
【０００１】
本開示は、シートベルトのタングプレートを保持するタングプレート保持具に関する。
【背景技術】
【０００２】
車両に用いられる安全装置の一つとしてシートベルトが広く普及している。シートベルトは、使用時に、ウェビング上に取り付けられたタングプレートをバックルに挿入することによりシート上に乗員等を拘束する。シートベルトが不使用時には、タングプレートがバックルから取り外されることにより開放されるが、その際に、フリーとなったタングプレートを保持するために、車室内に設けられるタングプレート保持具が知られている。
【０００３】
この種のタングプレート保持具として、例えば特許文献１には、シートベルトの不使用時に、タングプレートを先端から挿入することにより保持可能な挿入穴を有する一体形成型のタングプレート保持具が開示されている。
【先行技術文献】
【特許文献】
【０００４】
【特許文献１】特開２００８−４９８３８号公報
【発明の概要】
【発明が解決しようとする課題】
【０００５】
上記特許文献１のタングプレート保持具では、タングプレートが挿入される挿入穴のサイズが、保持対象のタングプレートのサイズに対応するように設定されているため、ある特定のサイズのタングプレートしか使用することができない。一般的に、異なる仕様車両において部品の共用化を進めることによってコストダウンが求められているが、タングプレート保持具についても同様の観点から、異なる仕様設計のタングプレートを保持可能なタングプレートが望まれている。
【０００６】
本発明の少なくとも１実施形態は上述の問題点に鑑みなされたものであり、異なる仕様設計のタングプレートを保持可能なタングプレート保持具を提供することを目的とする。
【課題を解決するための手段】
【０００７】
（１）本発明の少なくとも１実施形態に係るタングプレート保持具は上記課題を解決するために、シートベルトのタングプレートを保持するためのタングプレート保持具であって、車室の内壁に取り付けられるベース部と、前記ベース部から前記車室側に向かって延在し、前記ベース部に対向する側に前記タングプレートが挿入可能なタングプレート挿入部を有する延在部と、を備え、前記タングプレート挿入部は、前記タングプレートが挿入される挿入空間を両側から囲むように前記ベース部側に延びる一対の保持部によって、前記タングプレートを前記ベース部側から弾性的に保持可能に構成されている。
【０００８】
上記（１）の構成によれば、タングプレート挿入部に挿入されたタングプレートは、一対の保持部によって両側から安定的に保持される。ここで一対の保持部はタングプレートを弾性的に保持するため、保持部の弾性変形によって挿入空間が可変となり、異なる仕様のタングプレートに広く対応することができる。
【０００９】
（２）幾つかの実施形態では、上記（１）の構成において、前記一対の保持部は、互いに隙間を介して設けられている。
【００１０】
上記（２）の構成によれば、一対の保持部間に隙間を設けることで、各保持部がタングプレートを保持するために弾性変形した際に、その可動領域を十分に確保できる。これにより、一対の保持部はタングプレートを保持する際に周辺構成との干渉を避けながら柔軟な弾性変形が可能となり、異なる仕様のタングプレートに広く対応できる。
【００１１】
（３）幾つかの実施形態では、上記（１）又は（２）の構成において、前記一対の保持部は、先端に前記挿入空間の内側に向かって設けられた凸部をそれぞれ有し、前記凸部は、前記タングプレートが前記タングプレート挿入部に挿入された際に、前記タングプレートが有する穴部に係合する。
【００１２】
上記（３）の構成によれば、タングプレート挿入部にタングプレートが挿入された際に、タングプレートに設けられた穴部に保持部の凸部が係合することで、タングプレート挿入部内にタングプレートを安定的に保持できる。
【００１３】
（４）幾つかの実施形態では、上記（１）から（３）のいずれか１構成において、前記一対の保持部の少なくとも一方は、前記ベース部に対向する側に前記ベース部に向けて凸状に設けられたリブを有し、前記リブは、前記タングプレート挿入部に前記タングプレートが挿入された際に、前記タングプレートに接続されたウェビングを前記ベース部との間に挟持することにより保持可能なウェビング保持部を形成する。
【００１４】
上記（４）の構成によれば、タングプレート挿入部を構成する保持部に設けられたリブでウェビング保持部が構成される。これにより、タングプレート保持構造の一部を利用して効率的なレイアウトでウェビング保持部を構成できる。その結果、低コストで高機能なタングプレート保持具を実現できる。
【００１５】
（５）幾つかの実施形態では、上記（４）の構成において、前記タングプレートの挿入方向の垂直断面において、前記延在部は、前記タングプレート挿入部の長手方向の一方側で前記ベース部に接続されており、他方側に前記ウェビング保持部に前記ウェビングを挿入するための開口部が形成されている。
【００１６】
上記（５）の構成によれば、上記構造を効率的なレイアウトで構成できる。
【００１７】
（６）前記延在部は、前記他方側に前記ベース部に向けて凸状に設けられた逆鉤部を有する。
【００１８】
上記（６）の構成によれば、ウェビング保持部にウェビングが保持された際に、逆鉤部によって側方からウェビングを規制することで、意図しない抜け出しを防止できる。
【００１９】
（７）前記ベース部及び前記延在部は、弾性材料により一体形成されている。
【００２０】
上記（７）の構成によれば、弾性材料で一体形成することで、低コスト化を図りつつ、上記構成を好適に実現できる。
【００２１】
（８）前記ベース部は、前記延在部との境界領域のうち前記内壁側の表面上に凹状の切欠部を有する。
【００２２】
上記（８）の構成によれば、タングプレート保持具にタングプレートが保持された際に応力が集中しやすい境界領域に切欠部を有することで、局所的に弾性向上を図り、当該箇所に作用する応力の影響を効果的に低減できる。また切欠部によって弾性が向上した結果、ベース部に対する延在部の可動範囲を拡大できるので、より幅広い設計のタングプレートに対応することができる。
【発明の効果】
【００２３】
本発明の少なくとも１実施形態によれば、異なる仕様設計のタングプレートを保持可能なタングプレート保持具を提供できる。
【図面の簡単な説明】
【００２４】
【図１】本発明の少なくとも１実施形態に係るタングプレート保持具をタングプレートとともに示す斜視図である。
【図２】図１のタングプレート保持具がタングプレートを保持する様子を模式的に示す斜視図である。
【図３】図２のＡ−Ａ断面図である。
【発明を実施するための形態】
【００２５】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
また例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。尚、以下の説明では、車室に向かう方向を厚さ方向とし、タングプレートをタングプレート保持具に挿入する方向を長さ方向として説明する。
【００２６】
図１は本発明の少なくとも１実施形態に係るタングプレート保持具１５をシートベルトのタングプレート１００とともに示す斜視図である。図２は、図１のタングプレート保持具１５がタングプレート１００を保持する様子を模式的に示す斜視図である。図３は、図２のＡ−Ａ断面図である。
【００２７】
タングプレート保持具１５は、車室内に安全装置の一つとして設けられたシートベルトが有するタングプレート１００を保持するための装置である。本実施形態では、タングプレート１００の一例として、３点式シートベルトに用いられるタングプレート１００が示されている。タングプレート１００は、樹脂製の基部１０１と、該基部１０１の先端から延出する金属製のプレート部１０２と、を有する。プレート部１０２は中央部分に略矩形状に開口された穴部１０３を有する。シートベルトの使用時には、タングプレート１００のプレート部１０２がシートに着座した乗員の腰部近傍に設けられたバックルに挿入されることで、タングプレート１００が取り付けられているウェビング１０５が乗員の上半身と腰部に掛け渡され、シート上に乗員が拘束される。一方でシートベルトの不使用時には、バックルから取り外されたタングプレート１００は、車室内の所定位置に設けられたタングプレート保持具１５に保持される。
【００２８】
タングプレート保持具１５は、車室の内壁に取り付けられるベース部１と、ベース部１から車室側に延在しベース部１に対向する側にタングプレート１００が挿入可能なタングプレート挿入部３を有する延在部２と、を備える。タングプレート保持具１５は例えば樹脂やゴムのような弾性材料により形成されている。本実施形態では特に、ベース部１及び延在部２が一体形成されることにより低コスト化が図られているが、これらは互いに別部材として構成されていてもよい。
【００２９】
ベース部１は、タングプレート保持具１５が車室の内壁に取り付けられた際に、該内壁に沿って延在する板形状を有する。ベース部１の内壁側の面上には、互いに異なる位置に２つの係止脚５、５が設けられており、車両の内壁に備わる固定手段（不図示）に係合されることで、タングプレート保持具１５が車内の所定位置に固定可能に構成されている。
【００３０】
延在部２は、ベース部の一端１ａから車室側に向けて延びるように形成されている（説明を分かりやすくするために、ここでは便宜上、延在部２のうち、ベース部の一端１ａから車室側に向かって略垂直方向に延在される部分を垂直延在部２ａと称し、該垂直延在部２ａから連続してベース部１に略平行に延在する部分を平行延在部２ｂと、称することとする）。このように、タングプレート保持具１５はベース部の一端１ａにおいて延在部２を片持ち支持する構造を有しており、後述するように、垂直延在部２ａの幅方向反対側には、タングプレート１００が取り付けえたウェビング１０５が出入可能な開口部７が形成されている。
【００３１】
延在部２のうちベース部１に対向する側には、タングプレート１００のプレート部１０２が挿入可能なタングプレート挿入部３が設けられている。タングプレート挿入部３は、タングプレート１００が挿入される挿入空間８を両側から囲むように設けられた一対の保持部９、９を有する。一対の保持部９、９は、平行延在部２ｂの挿入空間８側の表面上からベース部１側に延びるように形成されており、挿入空間８に挿入されたプレート部１０２を両側から支持することで安定的に保持できるようになっている。
【００３２】
ここで一対の保持部９、９は弾性的にプレート部１０２を保持するように形成されている。そのため、一対の保持部９、９の弾性変形によって挿入空間８が柔軟に可変となっているため、異なる仕様のタングプレート１００に対応することができる。また、仮に外部からの振動や衝撃等を受けた場合であっても、一対の保持部９、９の弾性で吸収できるため、安定的に保持することができる。
尚、一対の保持部９、９は、プレート部１０２を保持する際に、プレート部１０２に対して少なからず押圧力を与えるように形成されることで、より安定的なプレート保持を行うようにしてもよい。
【００３３】
一対の保持部９、９は、互いに隙間１３を介して設けられている。隙間１３は、一対の保持部９、９が弾性変形する際に、互いに干渉しない程度の大きさを有する。そのため、一対の保持部９、９が弾性変形する際に、周辺構成と干渉することなく、その可動範囲を十分確保することができる。このように弾性変形可能な一対の保持部９、９の可動範囲を広く確保することができるので、様々な仕様のタングプレート１００にも対応できる。本実施形態では特に、隙間１３を中心に一対の保持部９、９を対称に形成することにより、一対の保持部９、９の可動範囲が効率的に広く確保されるように構成されている。
【００３４】
一対の保持部９、９には、平行延在部２ｂ側の表面上の先端から挿入空間８の内側に向かって凸部１０、１０がそれぞれ設けられている。凸部１０、１０は、プレート部１０２がタングプレート挿入部３に挿入された際に、プレート部１０２に設けられた穴部１０３の係合するように形成されている。本実施形態では特に、凸部１０、１０は穴部１０３の内側に入り込むように形成されており、挿入されたプレート部１０２が安定的に保持されるように構成されている。
【００３５】
尚、凸部１０、１０の大きさは、図２に示されるように、プレート部１０２に設けられた穴部１０３のサイズに対応するように設定されていてもよい。これにより、穴部１０３に入り込んだ凸部１０、１０によってプレート部１０２が固定的に保持されるため、外部から振動や衝撃等を受けた場合であっても、タングプレート１００を安定的に保持することができる。
【００３６】
尚、凸部１０、１０の形状は、タングプレート挿入部３にプレート部１０２を挿入する際に妨げとならないように、表面がなめらかに形成されていてもよい。また凸部１０、１０は、プレート部１０２がタングプレート挿入部３に挿入された際に、穴部１０３の内側に入りこまずに、プレート部１０２の表面を押圧するように接することで、タングプレート挿入部３内にプレート部１０２を保持してもよい。
【００３７】
一対の保持部９、９のうち少なくとも一方には、一対の保持部９、９のベース部１に対向する側の表面上からベース部１に向けて凸状のリブ１２が設けられている。リブ１２はベース部１との間にウェビング１０５を保持するためのウェビング保持部１１を形成しており、タングプレート挿入部３にプレート部１０２が挿入された際に開口部７から挿入されたウェビング１０５を挟持して保持する。このように保持部９に設けられたリブ１２を用いてウェビング保持部１１を構成することで、効率的なレイアウトでウェビング保持部１１を設けることができる。その結果、製造コストを抑えつつ、高機能なタングプレート保持具１５を提供できる。
尚、リブ１２もまた他の構成要素と同様に弾性材料から形成されているため、ウェビング保持部１１はウェビング１０５を適度な押圧力で弾性的に保持するように構成されている。
【００３８】
本実施形態では図３に示されるように、開口部７に近い側の保持部９にリブ１２が設けられている。この場合、開口部７に遠い側の保持部９にリブ１２が設けられる場合と比較して、ウェビング保持部１１に保持されるウェビング１０５の抜け出し側（すなわち開口部７に近い側）を保持することができるので、振動などによりタングプレート保持具１５からウェビング１０５が抜け出ることをより効果的に防止できる。
【００３９】
またベース部１は、延在部２との境界領域１４（ベース部１の一端１ａから延在部２にかけての領域）のうち内壁側の表面上に凹状の切欠部４を有する。前述したように、タングプレート保持具１５はベース部１に延在部２を片持ち支持して構成されるため、延在部２の付け根近傍である境界領域１４には比較的応力が集中しやすい。そこで、このように切欠部４を設けることで、局所的に弾性向上を図ることができ、当該箇所に作用する応力の影響を効果的に低減できる。また切欠部４による弾性向上の結果、ベース部１に対する延在部２の可動範囲を拡大できるので、より幅広い設計のタングプレートに対応することができる。
【００４０】
尚、ベース部１は、他端１ｂ側において延在部２に対向する面が内壁側に向かって傾斜することにより厚みが減少するように形成されている。これにより、外部から開口部７にウェビング１０５を挿入する際にスムーズな出し入れが可能になっている。
【００４１】
また延在部の先端２ｃには、延在部の先端２ｃからベース部１側に向けて延在する凸状の逆鉤部６が設けられている。これにより、ウェビング１０５がウェビング保持部１１に保持されている際に、ウェビング１０５をタングプレート保持具１５内に規制することで意図しない抜け出しを防止できる。
【００４２】
以上説明したように本実施形態によれば、タングプレート挿入部３に挿入されたタングプレート１００は、一対の保持部９、９によって両側から安定的に保持される。ここで一対の保持部９、９はタングプレートを弾性的に保持するため、一対の保持部９、９の弾性変形によって挿入空間８が可変となり、異なる仕様のタングプレートに広く対応することができる。このようにして、異なる仕様設計のタングプレートを保持可能なタングプレート保持具１５を実現できる。
【産業上の利用可能性】
【００４３】
本発明の少なくとも１実施形態は、タングプレートを保持するタングプレート保持具に利用可能である。
【符号の説明】
【００４４】
１  ベース部
２  延在部
３  タングプレート挿入部
４  切欠部
５  係止脚
６  逆鉤部
７  開口部
８  挿入空間
９  保持部
１０  凸部
１１  ウェビング保持部
１２  リブ
１３  隙間
１４  境界領域
１５  タングプレート保持具
１００  タングプレート
１０１  基部
１０２  プレート部
１０３  穴部
１０５  ウェビング
【図１】
0006705161.tif 000002
【図２】
0006705161.tif 000003
【図３】
0006705161.tif 000004